(57)【要約】【課題】限られた貯留空間を効率的に広く利用可能であって、優れた機械的強度を有するとともに、幅、深さ及び長さを自在に変更し、平面積及び容積の違いに容易に追従し得るブロック状積層体、及び、これを用いた雨水等処理設備を提供する。【解決手段】複数の凹凸板２０のそれぞれは、表面及び裏面において条状の凹部２２及び凸部２１を交互に繰り返す板状部材である。凹部２２及び凸部２１は、凹凸板２０の外郭形状に対し、少なくとも異なる二方向に斜行する波形形状部分を含む。複数の凹凸板２０は、隣接する凹凸板２０が、その相対向面において、それぞれの凹部２２及び凸部２１が交差するように、順次に積層され、凸部２１の接触部２３において互いに結合されている。少なくとも１つの通水孔２３は、複数の凹凸板２０の積層方向に貫通している。【選択図】      図１
2004238839.tif 000002
【特許請求の範囲】
【請求項１】
複数の凹凸板と、少なくとも１つの通水孔とを含むブロック状積層体であって、
前記複数の凹凸板のそれぞれは、表面及び裏面において条状の凹部及び凸部を交互に繰り返す板状部材であり、
前記凹部及び凸部は、前記凹凸板の外郭形状に対し、少なくとも異なる二方向に斜行する波形形状部分を含み、
前記複数の凹凸板は、隣接する凹凸板が、その相対向面において、それぞれの前記凹部及び凸部が交差するように、順次に積層され、前記凸部の接触部において互いに結合されており、
前記少なくとも１つの通水孔は、前記複数の凹凸板を積層方向に貫通しているブロック状積層体。
【請求項２】
請求項１に記載されたブロック状積層体であって、
前記凹凸板は、合成樹脂材料でなるブロック状積層体。
【請求項３】
ブロック状積層体と、処理層とを含む雨水等処理設備であって、
前記ブロック状積層体は、請求項１又は２の何れかに記載されたものであって、地中に埋設され、
前記処理層は透水層であって、前記ブロック状積層体の周囲に設けられている雨水等処理設備。
【請求項４】
請求項３に記載された雨水等処理設備であって、
前記処理層は、遮水層である雨水等処理設備。
【発明の詳細な説明】
【０００１】
【発明の属する技術分野】
本発明は、ブロック状積層体、及び、これを用いた雨水等処理設備に関する。本発明に係るブロック状積層体は、雨水等を貯留する雨水等の貯留設備に使用される場合と、雨水等を一時的に貯留し、貯留した雨水等を地中に緩やかに浸透させて排出する雨水等の浸透設備に使用される場合の両者を含む。
【０００２】
【従来の技術】
この種の雨水等の処理設備は、集水した雨水等の貯留設備として地中に埋設される雨水等貯留設備と、集水した雨水等を一時的に貯留し、貯留した雨水等を地中に緩やかに浸透させて排出することにより、河川への急激な雨水等の流入を調整する目的や、地下水脈への浸透水量を確保し地盤沈下を抑止する目的で、地中に埋設される雨水等浸透設備の両者がある。そして、雨水等貯留設備と、雨水等浸透設備の双方とも、従来より、種々のタイプのものが提案され、実用に供されている。
【０００３】
例えば、特許文献１は、地面を堀下げて構成したタンク部内に、複数の区画に仕切った区画枠体を縦横かつ上下に連設して充填し、最上部には、被覆手段を施したことを特徴とする雨水等の処理タンクを開示する。
【０００４】
特許文献２は、雨水等処理設備に関し、多角柱形をなす外壁形状を有すると共に、内側に貯水可能な空洞を備え、土中に埋設可能な硬質樹脂発泡体製の貯水ブロックであって、前記多角柱形を構成する外壁の一面にかかる面圧を受け止める外壁面支持部と、この外壁面支持部に続き前記面圧を分散可能な斜方支持部とを有する貯水ブロックを開示する。
【０００５】
しかし、上述した特許文献１記載の区画枠体、及び、特許文献２記載の貯水ブロックはいずれも、一定の規格物、または、その組み合わせにより構成されているため、多様な需要及び施工条件に対応できないという問題がある
また、この種の雨水等処理設備においては、限られた雨水等の貯留空間を効率的に広く利用しうることが重要である。
【０００６】
しかし、上述した特許文献１記載の区画枠体、及び、特許文献２記載の貯水ブロックにおいては、地中への埋設時に生じる部材相互間の重量や土圧に対抗し得るだけの機械的強度を確保するため、個々の構成部が大型化もしくは肉厚化する傾向にある。従って、埋設空間において部材自体の占拠率が高くなるから、雨水等の貯留空間の有効利用が妨げられるという問題がある。
【０００７】
更に、特許文献１記載の区画枠体、及び、特許文献２記載の貯水ブロックの何れも完全に区画された構造を有するから、一旦、各区画の内部に流入した雨水等は、他の区画に流動しにくく、貯留空間を効率的に広く利用することができない点で問題があった。
【０００８】
【特許文献１】
特公平４−３５５８０号公報
【特許文献２】
特開２００１−１１５５０８号公報
【０００９】
【発明が解決しようとする課題】
本発明の課題は、限られた貯留空間を効率的に広く利用しうるブロック状積層体、及び、これを用いた雨水等処理設備を提供することである。
【００１０】
本発明のもう一つの課題は、優れた機械的強度を有するブロック状積層体、及び、これを用いた雨水等処理設備を提供することである。
【００１１】
本発明の更にもう一つの課題は、幅、深さ及び長さを自在に変更し、平面積及び容積の違いに容易に追従し得るブロック状積層体、及び、これを用いた雨水等処理設備を提供することである。
【００１２】
【課題を解決するための手段】
上述した課題を解決するため、本発明に係るブロック状積層体は、複数の凹凸板と、少なくとも１つの通水孔とを含む。前記複数の凹凸板のそれぞれは、表面及び裏面において条状の凹部及び凸部を交互に繰り返す板状部材である。前記凹部及び凸部は、前記凹凸板の外郭形状に対し、少なくとも異なる二方向に斜行する波形形状部分を含んでいる。前記複数の凹凸板は、隣接する凹凸板が、その相対向面において、それぞれの前記凹部及び凸部が交差するように、順次に積層され、前記凸部の接触部において互いに結合されている。前記少なくとも１つの通水孔は、前記複数の凹凸板を積層方向に貫通している。
【００１３】
上述したように、複数の凹凸板のそれぞれは、表面及び裏面において条状の凹部及び凸部を交互に繰り返す板状部材であるから、製造加工を容易、且、迅速に実行できるとともに、優れた機械的強度を有する。
【００１４】
条状の凹部及び凸部は、凹凸板の外郭形状に対し、少なくとも異なる二方向に斜行する波形形状部分を含む。従って、凹凸板が土圧等の押圧力に対抗する方向を複数有するから、ブロック状積層体は優れた機械的強度を確保し得る。
【００１５】
複数の凹凸板は、隣接する凹凸板が、その相対向面において、それぞれの凹部及び凸部が交差するように、順次に積層される。ブロック状積層体の内部の交差構造は、ブロック状積層体の外郭形状を決定する要素ではないから、ブロック状積層体を、具体的な設置場所に適した外郭形状に成形することができる。また、凹凸板の積層枚数を増減し、さらには凹凸板自体の寸法を適宜設定することにより、多様な施工条件において平面積及び容積の違いに容易に追従できる。
【００１６】
複数の凹凸板は、隣接する凹凸板が、その相対向面において、それぞれの凹部及び凸部が交差するように、順次に積層され、凸部の接触部において互いに結合されている。ブロック状積層体において、隣接する凹凸板は凸部の接触部で結合されるているから、凸部と凹部とによって生ずる高低差により、各凹部間には、空隙を多数もしくは広く形成できる。従って、ブロック状積層体は広い雨水等の貯留空間を有する。
【００１７】
他方、ブロック状積層体において、凸部の接触部以外は結合されていないから、各空隙の内部に流入した雨水等は、同一平面方向に隣接する他の空隙へ容易に流動しうる。従って、貯留空間を効率的に広く利用することができる。
【００１８】
さらに、ブロック状積層体は、少なくとも１つの通水孔を有し、前記通水孔は、前記複数の凹凸板を積層方向に貫通している。各空隙内部に流入した雨水等は、通水孔により、積層方向に隣接する他の空隙へ容易に流動しうる。従って、この種のブロック状積層体を含む処理槽において、完全に区画された構造体を使用する従来技術に比べ、貯留空間を効率的に広く利用することができる。
【００１９】
本発明に係る雨水等処理設備は、ブロック状積層体と、処理層を含む。処理層はブロック状積層体の周囲に設けられる。処理層は、雨水等処理設備が貯留設備である場合には遮水層として設けられ、浸透設備である場合には透水層として設けられる。ここで、ブロック状積層体は、前述した本発明に係るブロック状積層体である。従って、本発明に係るブロック状積層体の説明で述べた全ての利点が、上述した雨水等処理設備でも得られることは明らかである。
【００２０】
本発明の他の目的、構成及び利点については、添付図面を参照し、更に詳しく説明する。添付図面は、単に、例示に過ぎない。
【００２１】
【発明の実施の形態】
１．ブロック状積層体
図１は本発明に係るブロック状積層体の一部を省略した斜視図、図２は図１に示すブロック状積層体の正面図、図３は図１に示すブロック状積層体の平面図である。図１乃至図３を参照すると、ブロック状積層体は、複数の凹凸板２０と、複数の通水孔２６とを含む。
【００２２】
複数の凹凸板２０のそれぞれは、表面及び裏面において、条状の凹部２２及び凸部２１を交互に繰り返す板状部材である。表面側の凸部２１は、裏面側においては凹部２２となる。
【００２３】
凹部２２及び凸部２１は波形形状であって、凹凸板２０の外郭形状に対し、異なる二方向にＶ字状に斜行している。斜行角度は、好ましくは１０〜４５度の範囲で設定される。
【００２４】
図示する波形形状は、凹凸板２０の外郭形状の一辺に対し平行する直線部を含む。直線部は、好ましくは、土圧等の押圧力が集中しやすい波形形状の頂点部や両端部等に形成される。
【００２５】
凹凸板２０には、合成樹脂材料を用いることができる。用いられる合成樹脂材料としては、ポリプロピレン（ＰＰ）や塩化ビニル（ＰＶＣ）等が一般的である。
【００２６】
上述した構造を有する凹凸板２０は、製造加工を容易、且、迅速にできるとともに、優れた機械的強度を有する。また、凹凸板２０は、通常、薄板構造で形成されるから、後述する貯留空間の有効利用が図れる。
【００２７】
図示するブロック状積層体は、複数の凹凸板２０は、隣接する２つの凹凸板２０の相対向面において、それぞれの凹部２２及び凸部２１が交差し、矢印Ｚで示す方向に積層されている。
【００２８】
より詳細に説明すると、図示するブロック状積層体は、隣接する２つの凹凸板２０ａと、凹凸板２０ｂとを含む。凹凸板２０ａは、その上に、凹凸板２０ｂが、波形形状の頂点部を左右反転して配置され、凹凸板２０ａの凸部２１と、凹凸板２０ｂの凸部２１とが交差するように積層されている。上述した凹凸板２０ａ、２０ｂの反転積層構造は、他の隣接する凹凸板相互間でも同様に展開されている。即ち、ブロック状積層体は、複数の凹凸板２０が、上述した積層構造を適宜繰り返すことにより、隣接する２つの凹凸板２０が、矢印Ｚで示す方向に対し連続して交互に反転し、積層されている構造を有する。
【００２９】
ブロック状積層体は、上述した交差部分において、凸部２１が相互に接触する接触部２３を有する。なお、隣接する２つの凹凸板２０において、凸部２１及び凹部２２は、接触部２３を基準にして、接触面上にある部分を凸部２１とし、接触面よりも凹凸板２０の方向に後退する部分を凹部２２とする。
【００３０】
各凸部２１間の接触部２３は結合構造を含み、隣接する凹凸板２０を結合している。例えば、凹凸板２０ａの凸部２１と、凹凸板２０ｂの凸部２１との接触部２３には、それぞれ結合構造が設けられており、前記結合構造により凹凸板２０ａ、２０ｂが結合されている。
【００３１】
接触部２３に設けられる結合構造は、例えば、凹凸板２０が、ポリプロピレン（ＰＰ）等の熱溶着性を有する合成樹脂材料を含む場合には、熱コテ等を利用して隣接する２つの凹凸板２０を一部溶解し、相互に熱溶着する結合構造をとることができる。凹凸板２０が、塩化ビニル（ＰＶＣ）等の熱溶着性を有しない合成樹脂材料を含む場合には、接触部２３に接着剤等を塗布する等の結合構造をとることができる。
【００３２】
一方、凸部２１の接触部２３以外には結合構造が設けられていないから、ブロック状積層体の内部において、隣接する２つの凹凸板２０の相互間には、非接触領域が多く形成されている。この点については、図４乃至図６で詳細に説明する。
【００３３】
他方、各凹部２２間には、凸部２１と凹部２２とによって生ずる高低差により、空隙２５が形成される。空隙２５は雨水等の貯留空間である。
【００３４】
ブロック状積層体は、少なくとも１つの通水孔２６を有する。通水孔２６は、ブロック状積層体を矢印Ｚで示す積層方向に貫通し、好ましくはブロック状積層体の両端面に開口している。なお、図１で示す通水孔２６の内部端面には、凹凸板２０の積層構造が断面形状として現れることとなるが、図面の表現上は省略している。
【００３５】
上述した構造を有するブロック状積層体は、機械的強度に優れた凹凸板２０を用い、且、凹部２２及び凸部２１が交差して結合されている構造により、土圧等の押圧力に対抗する方向を複数有するから、優れた機械的強度を有する。
【００３６】
また、凹凸板２０は、通常、薄板構造で形成されているから、それらを含むブロック状積層体が、後述する雨水等処理設備に用いられた場合に、貯留空間の有効利用が図れる。
【００３７】
図示実施例においてブロック状積層体を構成する凹凸板２０は、平面波形形状を有するから、凹凸板２０を左右反転して積層した場合、凸部２１の交差部分が多数発生する。凸部２１の交差部分は接触部２３であって、接触部２３は結合構造を有することができるから、ブロック状積層体は優れた機械的強度を有することができる。
【００３８】
また、凹凸板２０は、平面波形形状を有するから、凸部２１が交差するように積層した場合、凸部２１と凹部２２とによって生ずる高低差により、空隙２５も多数発生する。従って、ブロック状積層体は、広い雨水等の貯留空間を有する。
【００３９】
さらに、凸部２１の接触部２３以外には結合構造が設けられていない。このような非接触領域は、隣接する２つの凹凸板２０の相互間に広く形成されている。ブロック状積層体が非接触領域を広く含む構造によると、各空隙２５の内部に流入した雨水等は、矢印Ｘ及びＹで示す同一平面方向に隣接する他の空隙２５へ、容易に移動することができる。従って、このブロック状積層体によると、限られた貯留空間を効率的に広く利用することができる。
【００４０】
本発明に係るブロック状積層体は、少なくとも１つの通水孔２６を有する。図示する通水孔２６は、複数の凹凸板２０の積層方向Ｚに貫通している。上述した構造によると、各空隙２５内部に流入した雨水等は、通水孔２６を通じて矢印Ｚで示す積層方向に容易に移動し、積層方向に隣接する他の空隙２５へ、容易に流動することができる。従って、このブロック状積層体によると、完全に区画された構造体を使用する従来技術に比べ、限られた貯留空間を効率的に広く利用することができる。
【００４１】
凹凸板２０の波形形状は、凹凸板２０の外郭形状と区別される内部構造である。従って、凹凸板２０を積層して形成されるブロック状積層体の外郭形状は、波形形状のピッチ数や、ピッチ間隔等に制約されることなく、具体的な設置場所に適するように設定し得る。例えば、ブロック状積層体の外郭形状は、正六面体や、直方体さらには台形形状等に設定することができる。
【００４２】
同様に、ブロック状積層体は凹凸板２０を積層して形成される構造であるから、凹凸板２０の積層枚数や、凹凸板２０自体の寸法等を適宜設定することにより、多様な施工条件において平面積及び容積の違いに容易に追従できる。図１及び図３において、ブロック状積層体は、凹凸板２０を１２枚使用したブロック状積層体として図示されているが、例示に過ぎない。
【００４３】
図示する凹凸板２０は、好ましい例として直線部を含む。直線部における凸部２１の接触部２３は、交差部分の接触部２３より面積が広くなる。従って、ブロック状積層体において、直線部には結合強度の高い結合構造を設けることができる。
【００４４】
図４は図３の４−４線に沿った断面図、図５は図３の５−５線に沿った断面図、図６は図３の６−６線に沿った断面図である。より詳細に説明すると、図４は接触部２３の中心軸線で切断した場合の断面図、図５は接触部２３の端部で切断した場合の断面図、図６は接触部２３以外の部分で切断した場合の断面図である。
【００４５】
図４乃至図６を参照すると、例えば、凹凸板２０ａの上に、凹凸板２０ｂを、波形形状の頂点部を左右反転して、凸部２１が交差するように配置されている。
【００４６】
ブロック状積層体は、凹部２２及び凸部２１が交差するように積層した場合、交差部分において、接触部２３のそれぞれ完全に密着し、図４に示すように、切断端面に、ハニカム状の開口形状が現れるが、接触部２３から遠ざかるに従って非接触領域が増え、切断端面でみた開口形状が、図５に示すように、ハニカム形状を崩してしてゆき、図６に示すように、平行な開口を積層したような形状に変化する。
【００４７】
これら開口形状の変化は、ブロック状積層体の内部において、空隙２５及び接触部２３の付近でそれぞれ展開されている。このため、凹凸板２０により仕切られた空隙２５の内部に侵入した雨水等が、非接触領域を通じて、矢印Ｙで示す同一平面方向に流動し、他の空隙２５へ流動し易くなる。
【００４８】
さらに、ブロック状積層体は、通水孔２６を有するから、一旦ある空隙２５に流入した雨水等は、通水孔２６を通じて矢印Ｍで示す方向に流動し、矢印Ｚで示す積層方向で隣接する他の空隙２５のそれぞれへ流動し易くなる。
【００４９】
従って、この種のブロック状積層体を使用する場合に、例えば完全に区画された構造を有する区画枠体を使用する従来技術に比し、限られた貯留空間を効率的に広く利用することができる。
【００５０】
２．雨水等処理設備
図７は、本発明に係る雨水等処理設備の側面部分断面図である。図７に示す雨水等処理設備は雨水等浸透設備であって、ブロック状積層体１０、設置穴４０、処理層５０、流入桝６０、流出桝７０を含む。
【００５１】
ブロック状積層体１０は、図１〜図６に示した本発明に係るブロック状積層体である。従って、本発明に係るブロック状積層体の説明で述べた全ての利点が、上述した雨水等処理設備でも得られることは明らかである。図示するブロック状積層体１０の設置姿勢は例示に過ぎない。ブロック状積層体１０は優れた機械的強度を有するから、設置穴４０内部において、複数を上下、左右及び縦横に積み重ねることもできる。また、ブロック状積層体１０を大規模に製造して、１つだけ埋設してもよい。
【００５２】
流入桝６０は、流入管６１を含む。図示する流入管６１は、周知の方法により、ブロック状積層体１０に挿入されている。流入桝６０は、別異の装置で集水した雨水等を、ブロック状積層体１０が設置されている貯留空間内に注入する機能を有する。
【００５３】
流出桝７０は流出管７１を含む。流出桝７０は前記貯留空間内から排出される雨水等を別異の下水施設等に流下する機能を有する。これ等は、当該技術分野において、周知の構成部分であるから、詳細は省略する。
【００５４】
処理層５０は透水層であって、通常、不織布等の透水性素材を含み、貯留空間内部に対する異物混入を防止すると共に、貯留された雨水等を地中に浸透させる排出部として機能する。
【００５５】
上記構造を有する雨水等浸透設備において、図示した流入管６１の配置によると、矢印Ｍで示すように流入桝６０内部に流入した雨水等は、さらに流入管６１を矢印Ｍ方向に通過し、ブロック状積層体１０の内部を三次元方向に拡散しつつ円滑に流入する。
【００５６】
流入管６１から流れ込んだ雨水等は、ブロック状積層体１０の内部に一次的に貯留される。ブロック状積層体１０の内部に一時的に貯留された雨水等は、処理層５０を通して徐々に地中に浸透する。
【００５７】
この点、集中豪雨等により、ブロック状積層体１０への雨水等の流入量が、地中への浸透速度を上回った場合、オーバーフローした雨水等は、さらに流出管７１を矢印Ｍ方向に通過して流出桝７０に流入し、次の雨水等処理設備、又は、別異の下水施設等に流下される。
【００５８】
なお、ブロック状積層体１０の周囲に用いられる処理層５０を遮水層とすることで、雨水等処理設備を、雨水等の貯留を主目的とした雨水等貯留設備に用いることができる。
【００５９】
以上、好ましい実施例を参照して本発明の内容を具体的に説明したが、本発明の基本的技術思想及び教示に基づいて、当業者であれば、種々の変形態様を採り得ることは自明である。
【００６０】
【発明の効果】
以上述べたように、本発明に係るブロック状積層体、及び、これを用いた雨水等処理設備によれば、次のような効果を得ることができる。
（ａ）広い雨水等の貯留空間を有するブロック状積層体、及び、これを用いた雨水等処理設備を提供することができる。
（ｂ）優れた機械的強度を有するブロック状積層体、及び、これを用いた雨水等処理設備を提供することができる。
（ｃ）製造加工を容易、且、迅速に実行し得るブロック状積層体、及び、これを用いた雨水等処理設備を提供することができる。
（ｄ）幅、深さ及び長さを自在に変更し、平面積及び容積の違いに容易に追従し得るブロック状積層体、及び、これを用いた雨水等処理設備を提供することができる。
【図面の簡単な説明】
【図１】本発明に係るブロック状積層体の一部を省略した斜視図である。
【図２】図１に示すブロック状積層体の正面図である。
【図３】図１に示すブロック状積層体の平面図である。
【図４】図３の４−４線に沿った断面図である。
【図５】図３の５−５線に沿った断面図である。
【図６】図３の６−６線に沿った断面図である。
【図７】本発明に係る雨水等貯留設備の側面部分断面図である。
【符号の説明】
１０                ブロック状積層体
２０（ａ、ｂ）      凹凸板
２１                凸部
２２                凹部
２３                接触部
２５                空隙
２６                通水孔
４０                設置穴
５０                処理層
６０                流入桝
６１                流入管
７０                流出桝
７１                流出管
Ｘ                  縦方向
Ｙ                  横方向
Ｚ                  高さ方向（積層方向）
Ｍ                  雨水等の流動方向
【図１】
2004238839.tif 000003
【図２】
2004238839.tif 000004
【図３】
2004238839.tif 000005
【図４】
2004238839.tif 000006
【図５】
2004238839.tif 000007
【図６】
2004238839.tif 000008
【図７】
2004238839.tif 000009